(57)【要約】【課題】  ロール巻きされたシート状物を解いて、必要な長さの合成樹脂フィルムを得る場合の作業性が良く、更には製造原価も安価なロール巻きシート状物の回転保持具を提供する。【解決手段】  芯管１１にロール巻きされたシート状物１７を解く場合に補助的に使用するロール巻きシート状物の回転保持具１０であって、芯管１１に挿入可能な短管部１２と、短管部１２に軸心を合わせて短管部１２の下端に固着された円板部１３と、円板部１３の底部中央に配置され半球又部分球状となった突出部１４とを有し、しかも、円板部１３の外側下端を通って突出部１４に接する直線ｍと、円板部１３との成す角度が５〜２５度の範囲にある。【選択図】        図１
0003113258.tif 000002
【実用新案登録請求の範囲】
【請求項１】
芯管にロール巻きされたシート状物を解く場合に補助的に使用するロール巻きシート状物の回転保持具であって、前記芯管に挿入可能な短管部と、前記短管部に軸心を合わせて該短管部の下端に固着された円板部と、該円板部の底部中央に配置され半球又部分球状となった突出部とを有し、しかも、前記円板部の外側下端を通って前記突出部に接する直線と、前記円板部との成す角度が５〜２５度の範囲にあることを特徴とするロール巻きシート状物の回転保持具。
【請求項２】
請求項１記載のロール巻きシート状物の回転保持具において、前記円板部の直径は、前記短管部の外径の２．５〜５倍の範囲にあることを特徴とするロール巻きシート状物の回転保持具。
【請求項３】
請求項２記載のロール巻きシート状物の回転保持具において、前記突出部は半球状となって、該半球状の突出部の直径は、前記短管部の外径の０．８〜１．２倍の範囲にあることを特徴とするロール巻きシート状物の回転保持具。
【請求項４】
請求項１〜３のいずれか１項に記載のロール巻きシート状物の回転保持具において、前記円板部の周縁にはゴム又は弾性を有するプラスチックからなる断面コ字状の滑り止めリングが装着されていることを特徴とするロール巻きシート状物の回転保持具。
【考案の詳細な説明】
【技術分野】
【０００１】
本考案は、例えば紙管（芯管）等に巻かれた幅広の合成樹脂シートを解く場合に使用するロール巻きシート状物の回転保持具に関する。
【背景技術】
【０００２】
自動車等のボディを再塗装する場合、非塗装部や塗料が付着してはいけない部分（例えば、窓ガラス、ミラー、ヘッドライト等）を、合成樹脂フィルム（シート）で覆っている。この合成樹脂フィルムは一般的に幅広（例えば、０．９〜１．８ｍ）で長尺のものが芯管にロール巻きされている。従って、ロール巻きされた合成樹脂フィルムを、適当に解いて所定長で切断して、塗装カバー等として使用していた。
このような、ロール巻きされた合成樹脂フィルムから徐々に合成樹脂フィルムを解く装置としては、例えば、特許文献１に記載のようなものが提案されている。
【０００３】
【特許文献１】特開２００２−２８３２７９号公報
【考案の開示】
【考案が解決しようとする課題】
【０００４】
しかしながら、特許文献１に記載のものは、装置も大掛かりで、特定の場所に設置している装置から、所定長の合成樹脂フィルムを切り出さねばならず、自動車の塗装作業に使う合成樹脂フィルムのように、長さが異なるものに対しては、作業性が悪いという問題があった。
【０００５】
本考案はかかる事情に鑑みてなされたもので、ロール巻きされたシート状物（即ち合成樹脂フィルム）を解いて、必要な長さの合成樹脂フィルムを得る場合の作業性が良く、更には製造原価も安価なロール巻きシート状物の回転保持具を提供することを目的とする。
【課題を解決するための手段】
【０００６】
前記目的に沿う第１の考案に係るロール巻きシート状物の回転保持具は、芯管にロール巻きされたシート状物を解く場合に補助的に使用するロール巻きシート状物の回転保持具であって、前記芯管の下端に挿入可能な短管部と、前記短管部に軸心を合わせて該短管部の下端に固着された円板部と、該円板部の底部中央に配置され半球又は部分球状となった突出部とを有し、しかも、前記円板部の外側下端を通って前記突出部に接する直線と、前記円板部との成す角度が５〜２５度の範囲にある。
【０００７】
このロール巻きシート状物の回転保持具の使用にあっては、合成樹脂フィルムが巻かれた芯管、即ちロール巻きシート状物の芯管を略立てた状態にして、該回転保持具の短管部に差し込む。これによって、ロール巻きシート状物の下端部が円板部に接し、全体を略垂直に立てて上端部を手等で保持すると、突出部が床についてロール巻きシート状物が容易に回転可能となる。この状態で、巻かれている合成樹脂フィルムを解き、必要な長さで切断して使用する。作業が一旦中断した場合には、このロール巻きシート状物の回転保持具を芯管に装着したままで壁等に立てかける。この場合、円板部の外側下端を通って前記突出部に接する直線と円板部との成す角度以上に、このロール巻きシート状物を傾斜させて、円板部の縁が床面に接するようにすると、立てかけたロール巻きシート状物の回り止めができる。なお、この角度を５度未満にすると回転保持具の装着されたロール巻きシート状物を少し倒すと円板部が底面に当たってロール巻きシート状物を回し難くなり、この角度を２５度より大きくすると円板部の周縁を床面に当接させる角度が大きくなって作業性が悪い。
【０００８】
また、第２の考案に係るロール巻きシート状物の回転保持具は、第１の考案に係るロール巻きシート状物の回転保持具において、前記円板部の直径は、前記短管部の外径の２．５〜５倍の範囲にあり、この範囲であれば、芯管部の周囲に巻かれたシート状物の下端を安定して受けることができる。
これによって、ロール巻きシート状物の芯管の他、ロール巻きされたシート状物の下端も円板部が支持して、芯管にロール巻きされたシート状物への回転保持具の装着が安定する。
【０００９】
第３の考案に係るロール巻きシート状物の回転保持具は、第２の考案に係るロール巻きシート状物の回転保持具において、前記突出部は半球状となって、該半球状の突出部の直径は、前記短管部の外径の０．８〜１．２倍の範囲にある。これによって、回転保持具が装着されたロール巻きシート状物を作業中に少しの角度で倒してもロール巻きシート状物を円滑に回転できる。
【００１０】
そして、第４の考案に係るロール巻きシート状物の回転保持具は、第１〜第３の考案に係るロール巻きシート状物の回転保持具において、前記円板部の周縁にはゴム又は弾性を有するプラスチックからなる断面コ字状の滑り止めリングが装着されている。
【考案の効果】
【００１１】
本考案のロール巻きシート状物の回転保持具は、これを用いることによって、ロール巻きされたシート状物を回転させて巻かれたシート状物を簡単に解くことができる。
しかも、このロール巻きシート状物の回転保持具を取付けた状態のロール巻きシート状物は、移動が容易であると共に、円板部の周縁が床面に接しない範囲で傾けても、回転保持具は自由に回転でき、回転保持具に装着されたロール巻きシート状物から、シート状物を必要とする長さ分現場で巻き解く作業が容易に成し得る。
そして、円板部の周縁が床面に接するまで回転保持具が装着されたロール巻きシート状物を倒すと、円板部が床面に接してブレーキとなり、このロール巻きシート状物が更に滑って倒れるのを防止できる。
回転保持具が装着されたロール巻きシート状物は下端が円板部で保護されているので、疵が付かない。
特に、円板部の周縁にゴム又は弾性を有するプラスチックからなる断面コ字状の滑り止めリングを装着した場合には、この回転保持具を装着したロール巻きシート状物を斜めにして壁等に凭れかけたとき、滑り止めリングが作用してその位置に保持されやすくなる。
【考案を実施するための最良の形態】
【００１２】
続いて、添付した図面を参照しつつ、本考案を具体化した実施の形態につき説明し、本考案の理解に供する。
ここで、図１は本考案の一実施の形態に係るロール巻きシート状物の回転保持具の側面図、図２は同ロール巻きシート状物の回転保持具の平面図、図３は同ロール巻きシート状物の回転保持具の使用状態を示す側面図である。
【００１３】
図１、図２に示すように、本考案の一実施の形態に係るロール巻きシート状物の回転保持具（以下、単に「回転保持具」という）１０は、鉄、その他の金属、硬質プラスチック、又は瀬戸物からなって、ロール巻きシート状物１７の芯管（紙管）１１の下端に挿入可能な短管部１２と、短管部１２に軸心を合わせて短管部１２の下端に固着された円板部１３と、円板部１３の底部中央に配置され半球状となった突出部１４とを有している。そして、円板部１３の外側下端を通って突出部１４に接する直線ｍと円板部１３との成す角度が５〜２５度の範囲にある。
【００１４】
この実施の形態では、短管部１２の外径は約６０ｍｍ、円板部１３の直径は約１６５ｍｍ程度であるが、ロール巻きシート状物１７の芯管１１の内径に応じて短管部１２の外径は変える必要があり、通常は芯管１１の内径の９０〜９９％とするのがよい。また、円板部１３の直径もロール巻きシート状物１７によって変わるが、短管部１２の外径の２．５〜５倍とするのが好ましい。
【００１５】
そして、突出部１４の直径は、短管部１２の外径の０．８〜１．２倍の範囲にあるのが、床面に集中した荷重もかからないので、好ましい。
また、前記実施の形態においては、厚みが４．５ｍｍ程度の円板部１３の周縁面は、上下の板面に対して垂直となって垂直面と上下の水平面が交差する角部には１〜２ｍｍ程度の程度の面取りがなされているが、図１、図２に２点鎖線で示すように、円板部１３の周縁にはゴム又は弾性を有するプラスチックからなる断面コ字状の滑り止めリング１６を設けるのが好ましい。これによって、円板部１３が作業者に触れても擦り傷等を発生させることなく、しかも、この円板部１３の端部に設けられている滑り止めリング１６の一部を床に接触させて回転や転がりを止めることができる。
【００１６】
続いて、このロール巻きシート状物の回転保持具１０の使用方法について説明すると、図３に示すように、ロール巻きシート状物１７の芯管１１の下端に回転保持具１０の短管部１２を装着する。この状態で、ロール巻きシート状物１７を立てると、半球状の突出部１４が床面に接することになる。
この状態で、ロール巻きシート状物１７の巻き終わり端部を手で持って、ロール巻きシート状物１７を所定方向に回して、シート状物を所定長さ解いて、鋏等の刃物でロール巻きシート状物１７から分離する。
この場合、円板部１３の周縁が床面に接しない範囲まで、ロール巻きシート状物１７を自由に傾斜させることができる。
所定長のシート状物が得られた後は、回転保持具１０を装着したままで、ロール巻きシート状物１７を斜めに倒し、壁等に立てかけておく。この場合、円板部１３を床面に接触させておけば、円板部１３の周縁が滑り止めとなる。
また、ロール巻きシート状物１７は、円板部１３の上に載っているので、ロール巻きシート状物１７には疵が付かない。
【００１７】
本考案は説明を容易にするため、具体的数字を用いて説明したが、本考案は前記数字に限定されるものではない。
なお、以上のシート状物（合成樹脂フィルム）を自動車の塗装作業に使用する場合には、合成樹脂フィルムの端部に緑色、赤、青色等の着色部１８（図３参照）を設けておくのがよく、これによって、合成樹脂フィルムの端部の視認ができる。また、前記実施の形態では円板部の底部中央に配置された突出部を半球状としたが、部分球状であってもよい。
【図面の簡単な説明】
【００１８】
【図１】本考案の一実施の形態に係るロール巻きシート状物の回転保持具の側面図である。
【図２】同ロール巻きシート状物の回転保持具の平面図である。
【図３】同ロール巻きシート状物の回転保持具の使用状態を示す側面図である。
【符号の説明】
【００１９】
１０：ロール巻きシート状物の回転保持具、１１：芯管、１２：短管部、１３：円板部、１４：突出部、１６：滑り止めリング、１７：ロール巻きシート状物、１８：着色部
【図１】
0003113258.tif 000003
【図２】
0003113258.tif 000004
【図３】
0003113258.tif 000005